(57)【要約】種子テープ１は、連続配置された板状材料製の発芽ユニット２ａ、２ｂ、２ｃを含む。これらの発芽ユニットは、少なくとも一層の生分解性材料からなる担体条片３に密着もしくは固定されている。各発芽ユニット２ａ、２ｂ、２ｃは、土壌１２もしくは栽培基質中に垂直に定植されるように意図されたものであり、１つもしくは複数の種子６に加えて、担体７と、少なくとも１種の添加剤９と、場合によっては充填剤とアジュバント８との混合物を含む。１つもしくは複数の添加剤９は、超吸水性ポリマーのような吸水性材料を含む。各発芽ユニット２ａ、２ｂ、２ｃには、前記ユニットの上端部に隣接もしくは少なくともこれに沿ってその表面を横切る、少なくとも１つの撥水性材料からなる細い領域５が設けられている。細い領域の撥水性材料は、発芽ユニットの板状材料の厚さ全体にわたってこれを貫通している。その結果、種子テープの上端部が僅かに土壌から突出しているような場合でも、種子テープは日射や風による乾燥に容易に曝されることがない。
2006500043.tif 000002
【特許請求の範囲】
【請求項１】
板状材料製で、少なくとも一層の生分解性材料からなる担体条片（３）に密着もしくは固定されている連続配置された発芽ユニット（２ａ、２ｂ、２ｃ）を含み、各発芽ユニット（２ａ、２ｂ、２ｃ）が地面（１２）もしくは栽培基質中に垂直に定植されるように意図されたものであると同時に、１つもしくは複数の種子（６）に加えて担体（７）と少なくとも１種の添加剤（９）と場合によっては充填剤とアジュバント（８）との混合物を含み、１つもしくは複数の添加剤（９）が超吸水性ポリマーのような吸水性材料を含むものであって、各発芽ユニット（２ａ、２ｂ、２ｃ）には、前記ユニットを横切って、または前記ユニットの上端部に隣接して、もしくは少なくともそれに達するまでのところに存在する少なくとも１つの撥水性材料からなる細い領域（５）が備えられており、撥水性材料が発芽ユニットの板状材料の厚さ全体にわたってこれを貫通していることを特徴とする種子テープ（１）。
【請求項２】
細い領域（５）の撥水性材料が、シリコーンもしくはシリコーンオイルであることを特徴とする請求項１に記載の種子テープ。
【請求項３】
撥水性材料からなる細い領域（５、５’）が、少なくとも１ｍｍの高さ（ｈ）のものであることを特徴とする請求項１または２に記載の種子テープ。
【請求項４】
撥水性材料からなる細い領域（５、５’）が、高さ３．５から１０ｍｍ、好ましくは４から８ｍｍ、特には５ｍｍのものであることを特徴とする請求項１、２または３に記載の種子テープ。
【請求項５】
撥水性材料からなる細い領域が、発芽ユニットの高さ（Ｈ）の５から１０％の高さ（ｈ）のものであることを特徴とする請求項１から４のいずれか一項または複数項に記載の種子テープ。
【請求項６】
発芽ユニット（２ａ、２ｂ、２ｃなど）の板状材料が紙、好ましくは３０から６０ｇ／ｍ２、特には４０から５０ｇ／ｍ２の重さの紙であり、担体条片（１）もまた紙から製造されていることを特徴とする請求項１から５のいずれか一項または複数項に記載の種子テープ。
【請求項７】
細い領域（５、５’）の撥水性材料が、発芽ユニットの板状材料上にホットメルトとして塗布した後で硬化された、ワックス、ステアリン、パラフィン、または天然ゴムであることを特徴とする請求項１に記載の種子テープ。
【請求項８】
細い領域（５、５’）の撥水性材料が、ポリラクチド（ＰＬＡ）、場合によってはポリラクチド（ＰＬＡ）に多糖類を加えたもののようなプラスチックであることを特徴とする請求項１に記載の種子テープ。
【請求項９】
撥水性材料の細い領域（５’）が、各発芽ユニット（２ａ、２ｂ、２ｃ）の下端部に、もしくはこれと隣接して配置されていることを特徴とする請求項１から８のいずれか一項または複数項に記載の種子テープ。
【請求項１０】
前記テープが発芽ユニット（２ａ、２ｂ、２ｃなど）として連続的に製造され、かつ完成した種子テープの幅の二倍の幅の１つまたは複数の紙製リボン（１６、１７）により製造され、前記紙製リボンの中央に二倍の幅の撥水性材料からなる領域（１５）を塗布した後に、１つまたは複数の前記紙製リボン（１６、１７）に、撥水性領域（１５）の中央を貫くように切り込み（０）が入っていることを特徴とする請求項１から９のいずれか一項または複数項に記載の種子テープ。
【請求項１１】
細い領域（５、５’）の撥水性材料に抑止剤が添加されており、前記抑止剤が好ましくは動物または鳥類の嗅覚もしくは味覚に影響する物質であることを特徴とする請求項１から１０のいずれか一項または複数項に記載の種子テープ。
【請求項１２】
発芽ユニットの上端部（４）において、撥水性材料からなる細い領域（５）が前記発芽ユニット（２ａ、２ｂ、２ｃ）の垂直方向端部（１８ａ、１８ａ）に沿って僅かに下方に延出している（５ａ、５ｂ）ことを特徴とする請求項１から１１のいずれか一項または複数項に記載の種子テープ。
【発明の詳細な説明】
【技術分野】
【０００１】
本発明は、板状材料製で、少なくとも一層の生分解性材料からなる担体条片に密着もしくは固定されている、連続配置された発芽ユニットを含み、各発芽ユニットが地面もしくは栽培基質中に垂直に定植されるように意図されたものであると同時に、１つもしくは複数の種子に加えて担体と少なくとも１種の添加剤と場合によっては充填剤とアジュバントとの混合物を含み、１つもしくは複数の添加剤が超吸水性ポリマーのような吸水性材料を含む種子テープに関する。
【背景技術】
【０００２】
テープを垂直に配置する場合、種子テープの定植には、前記種子テープが地面の十分深い場所に配置されない、という問題がついてまわる。テープ上端部のごく一部分が地面から突出していると、長期間にわたる風の吹く天候や日射は種子テープの発芽ユニットが乾燥することを意味している。なぜならば、各発芽ユニットが土壌表面に水分を運ぶ導芯として作用し、したがって、風や日光が種子テープの突出端部から発芽ユニットを乾燥させるからである。これは、むしろあまり望ましい作用とはいえない。
【発明の開示】
【発明が解決しようとする課題】
【０００３】
本発明の目的は、種子テープのごく一部が土壌から突出しているような場合でも発芽ユニットが容易に乾燥しないような、上記のようなタイプの種子テープを提供することにある。
【課題を解決するための手段】
【０００４】
本発明による種子テープは、各発芽ユニットに、前記ユニットを横切って、または、前記ユニットの上端部に隣接して、もしくは少なくともそれに達するまでのところに存在する少なくとも１つの撥水性材料からなる細い領域が設けられており、撥水性材料が発芽ユニットの板状材料の厚さ全体にわたってこれを貫通していることを特徴とする。その結果、各発芽ユニットにはその上方に撥水バリヤーもしくはシールが設けられ、このバリヤーもしくはシールにより、前記発芽ユニット上端部の湿度蒸発傾向が完全に解消されるか、場合によっては大幅に低減する。
【０００５】
本発明によれば、撥水性材料は、シリコーンまたはシリコーンオイルであってもよく、これらは特に塗布が容易で、実用上非常に効率的であることが判明している。
【０００６】
さらに、本発明によれば、撥水性材料からなる細い領域は少なくとも１ｍｍの高さのものであってもよく、この高さは特に有利であることが判明している。
【０００７】
加えて、本発明によれば、撥水性材料からなる細い領域は、３．５から１０ｍｍ、好ましくは４から８ｍｍ、特に５ｍｍの高さのものであってもよい。これらの幅は、特に有利であることが判明している。
【０００８】
本発明によれば、撥水性材料からなる細い領域は、発芽ユニットの高さ（Ｈ）の５から１０％の高さ（ｈ）のものであってもよく、これらは特に有利な実施形態であることが判明している。
【０００９】
さらに、本発明によれば、発芽ユニットの板状材料は、紙、好ましくは３０から６０ｇ／ｍ２、特には４０から５０ｇ／ｍ２の重さの紙であってよく、担体条片もまた紙製であってもよい。得られる種子テープは、安価でかつ有用である。
【００１０】
本発明によれば、撥水性材料は、発芽ユニットの板状材料上にホットメルトとして塗布した後で硬化された、ワックス、ステアリン、パラフィン、または天然ゴムであってもよい。これらの物質、およびこのような方法による塗布は、個々の発芽ユニットの上に特に有用なバリヤーを提供することが判明している。
【００１１】
本発明によれば、撥水性材料は、ポリラクチド（ＰＬＡ）、場合によってはポリラクチド（ＰＬＡ）に多糖類を加えたもののようなプラスチックであってもよい。このようにすれば、得られる撥水性バリヤーは機械的にも強いものとなり、したがって動物や鳥類に対して優れた耐性を与える。
【００１２】
さらに、撥水性材料の細い領域は、各発芽ユニットの下端部に、もしくはこれと隣接して配置されていてもよい。その結果、種子テープが特に乾燥した土壌に定植されるような状況においても、各発芽ユニット中に含まれる水が土壌へと直ちに下方に移動してしまうようなことはなくなる。加えて、種子テープ下方部分では、前記種子テープが定植箱に配置されている間の発芽ユニット下方部分における水−空気比率が改善されることが確実になる。
【００１３】
本発明によれば、前記テープが発芽ユニットとして連続的に製造されてもよく、かつ完成した種子テープの幅の二倍の幅の１つまたは複数の紙製リボンにより製造され、前記紙製リボンの中央に二倍の幅の撥水性材料からなる領域を塗布した後に、１つまたは複数の前記紙製リボンに、撥水性領域の中央を貫くように切り込みが入っていてもよい。得られるテープは、特に安価なものとなる。
【００１４】
さらに、撥水性材料には抑止剤を添加してもよく、前記抑止剤は、好ましくは動物または鳥類の嗅覚もしくは味覚に影響する物質であってもよい。このようにすれば、動物または鳥類がほじくり返し、場合によっては種子テープに損傷を与えてしまうような傾向を軽減することができる。
【００１５】
最後に、本発明によれば、端部において、撥水性材料からなる細い領域は、各発芽ユニットの垂直方向端部に沿って僅かに、例えば２から５ｍｍ、下方に延出していてもよい。このようにすれば、土壌から突出している発芽ユニット端部からの水の蒸発傾向をさらに軽減することができる。
【００１６】
説明の導入部において、各発芽ユニットは、１つもしくは複数の種子に加えて、担体と、少なくとも１種の添加剤と、場合によってはアジュバントとの混合物を含むものである旨述べておく。ここにおいて用語「担体」は、特に、シリカ、バーミキュライト、パーライト、ゼオライト、木材繊維やミズゴケなどのセルロース材料、土、場合によっては焼土、ロックウールもしくは類似物質のような鉱物繊維のうちの１つもしくは複数の物質であるとし、それによって目的とする程度の保水性能、送水性能、イオン交換特性などを得ることが可能になる。ここにおいて用語「アジュバント」は、原則として、その他の選択された物質と相溶性の良い全ての物質、および、備蓄、発芽、および種子もしくはその後の芽の成長に好ましい影響を与える物質であるとする。アジュバントには、例えば、除草剤、殺虫剤、特に浸透性殺虫剤、殺真菌剤、ウイルス剤（ｖｉｒａｅ）、細菌培養物、トリコデルマ属のような真菌培養物、真菌胞子、マイクロカプセル化殺真菌剤、捕食性線虫のような有用昆虫の卵、昆虫の卵、肥料、ホルモン、酵素、動物忌避剤、ｐＨ調整剤、炭素、粘土粒子、モリブデンのような微量元素、木材繊維もしくは木粉、珪藻土、界面活性剤、シリカおよびその他の植物の発芽および成長に好ましい影響を与える添加剤などの病虫駆除剤を含めることができるが、いくつかの物質はマイクロカプセル化した形態で利用可能であり、その結果、生分解から保護すると同時に、その放出を制御しながら実施させることができる。アジュバントにはまた、硝酸カリウムや塩化ナトリウムを含めることができる。
【００１７】
これらの物質は、場合によっては、例えばポリビニルアルコール、ポリエチレングリコール、または水もしくは含水多糖類もしくはこれらの混合物などの、その他の植物との相溶性の良い結合剤を用いて結合させることができる。
【発明を実施するための最良の形態】
【００１８】
図１に示す種子テープ１は、連続配置された２ａ、２ｂ、２ｃなどの発芽ユニットを含んでおり、これらは担体条片３に密着もしくは固定することができる。担体条片３は、少なくとも一層の生分解性材料から形成されており、各発芽ユニット２ａ、２ｂ、２ｃは、一層もしくは複数層の板状材料、好ましくは紙から製造される。種子テープ、したがって各発芽ユニットは、土壌もしくは適当な栽培基質中に垂直に定植されるように意図されたものである。１つもしくは複数の種子６に加えて、各発芽ユニットには、担体７と、少なくとも１種の添加剤９と、場合によってはアジュバント８との混合物が含まれている。これらの全ての物質は、種子６を取り囲んでいる。これらは、例えば図示しない結合剤などにより発芽ユニットに糊着しておくことができる。
【００１９】
図２に示すように、各発芽ユニット２ａには、前記ユニットを横切って、または前記ユニットの上端部に隣接して、もしくは少なくともそれに達するまでのところに、少なくとも１つの撥水材料の細い領域５が設けられており、細い領域は発芽ユニットの板状材料の厚さ全体にわたってこれを貫通している。
【００２０】
細い領域５は、少なくとも１ｍｍの高さｈを有するものとすることができる。高さｈはまた、３．５から１０ｍｍの範囲とすることができる。高さｈは、４から８ｍｍ、特に５ｍｍであることが好ましい。ｈはまた、発芽ユニットの高さＨの５から１０％とすることができる。発芽ユニット２ａ、２ｂ、２ｃなどの板状材料は、紙、好ましくは３０から６０ｇ／ｍ２、特に好ましくは４０から５０ｇ／ｍ２の紙とすることができる。担体条片３もまた、紙製とすることができる。
【００２１】
細い領域５の撥水性材料は、シリコーンもしくはシリコーンオイルとすることができる。上記部分をなす撥水性材料はまた、発芽ユニットの板状材料上にホットメルトとして塗布した後に硬化されたワックス、ステアリン、パラフィン、または天然ゴムとすることもできる。
【００２２】
加えて、細い領域５の撥水性材料は、ポリラクチド（ＰＬＡ）、場合によってはポリラクチド（ＰＬＡ）に多糖類を加えたもののようなプラスチックとすることもできる。
【００２３】
図３は、定植された種子テープ１の上端部が、どのような状態で、誤って土壌から、すなわち土壌表面１２よりも僅かに上に突出し得るかを示している。撥水性材料の上部領域５がない場合には、発芽ユニット中に含まれる水分が前記発芽ユニットを通って上方に移動し、土壌表面から上方に蒸発してしまうという危険性が生じる。これは特に、定植地が多くの風に暴露されるような状況、および／または種子テープの突出部分に太陽光が照射するような状況において生じる。撥水性材料の領域５は、発芽ユニットからの不利な水分の蒸散を防止する。
【００２４】
図４に示すように、各発芽ユニット２ａ、２ｂ、２ｃには、その下端部１４にも同様に、撥水性材料の細い領域５’を設けることができ、その結果、前記発芽ユニット下方の乾燥した土壌への水分の放出が著しく軽減される。
【００２５】
図６には、どのようにして紙製の連続ウェブ１６、１７を用いて種子テープを製造することができるかを示す。これらのウェブは、発芽ユニットの高さの二倍に相当する幅のものである。撥水性材料の領域１５がウェブの中央に塗布され、前記撥水材料の領域１５の幅は２ｈと等しい幅である。ウェブ１６、１７の中央、すなわち線０に沿って切り込みを入れると、ほぼ完成した種子テープを得ることができる。しかしながら、場合によっては個々の発芽ユニット２ａ、２ｂ、２ｃを切り離した後に、担体条片３をウェブ上に糊着しなければならない。このような状況では、発芽ユニットはあらかじめ決められた相互の距離を呈し、担体条片３に糊着される。
【００２６】
部分５、５’の撥水性材料には、抑止剤、好ましくは動物または鳥類の嗅覚もしくは味覚に影響する物質を混合することができる。
【００２７】
図５に示すように、撥水性材料の細い領域５は、その端部において、例えば５ａ、５ｂのように、少しの長さだけ下方に延ばすことができ、これによって各発芽ユニット２ａの垂直方向端部１８ａおよび１８ｂに沿って、この部分が僅かに下方に延出することとなる。
【００２８】
上記のように、種子６を取り囲んでいる物質の混合物に含まれる１つもしくは複数の添加剤９に関連して、これが超吸水性ポリマー（ＳＡＰ）のような１つもしくは複数の吸水性材料の問題であることに留意すべきである。これらの材料は、例えばポリアクリル酸架橋物、  イソブチレン−マレイン酸共重合体誘導体架橋物、デンプン−ポリアクリル酸架橋物の塩、ポリビニルアルコール−ポリアクリル酸架橋物の塩、ポリビニルアルコール誘導体架橋物、ポリエチレン−グリコール誘導体架橋物、およびカルボキシエチルセルロース誘導体架橋物とすることができる。散水すると、吸水性材料が種子６のために大量の水を保持することができる。撥水性材料の細い領域５の目的は、１つもしくは複数の添加剤９からの水の喪失を防止することにある。
【００２９】
本発明は、発明の範囲を逸脱しない限り、様々に変更することができる。
【図面の簡単な説明】
【００３０】
【図１】本発明による種子テープの実施形態の１つを示す図である。
【図２】上部に撥水性材料の領域を含む発芽ユニットを示す斜視図である。
【図３】種子テープのごく一部が土壌から突出するように土壌に定植された種子テープの一部を示す斜視図である。
【図４】上部と下部の両方に撥水性材料からなる細い領域が設けられている発芽ユニットを示す斜視図である。
【図５】上部の撥水性材料の細い領域が、発芽ユニットの２つの垂直方向端部に沿って僅かな長さだけ下方に延出している発芽ユニットを示す斜視図である。
【図６】本発明による発芽ユニットの製造に適した連続長の一部を示す斜視図である。
【図１】
2006500043.tif 000003
【図２】
2006500043.tif 000004
【図３】
2006500043.tif 000005
【図４】
2006500043.tif 000006
【図５】
2006500043.tif 000007
【図６】
2006500043.tif 000008
【国際調査報告】
2006500043.tif 000009
2006500043.tif 000010
2006500043.tif 000011